(57)【要約】【課題】改良されたデータ・キャリア、データ・キャリア用の改良された回路、および改良された通信局を提供し、これらのデータ・キャリアを用いて、実質的にこれらのデータ・キャリアの通信局からの距離に関わりなく、かつこのようにコスト高を生じさせてしまうことなく、もっとも速くかつもっとも完全な各データ・キャリアの問合せと検出とを常に確実にすること。【解決手段】通信局と非接触通信を行うためのデータ・キャリア(1)は、第一に、問合せ信号(IS)を受信するための受信段(3)と、第二に、問合せ信号(IS)を受信すると直ちに応答信号(RS)を生成するための生成段(17)と、第三に、応答信号(RS)を通信局への伝送に適した伝送信号(MCRS)に処理するための処理回路(18)と、第四に、データ・キャリア(1)に作用するフィールドのフィールド強度を代表する少なくとも一つの代表値(REP1,REP2)を決定するための決定デバイス(22)と、第五に、決定デバイス(22)と処理回路(18)との間の制御結合部(25)とを有し、処理回路(18)により生成された伝送信号の伝送パラメータを、少なくとも一つの代表値(REP1,REP2)の関数として変化させるために、制御結合部(25)を介して処理回路(18)に影響を及ぼすことができる。
2005509957.tif 000002
【特許請求の範囲】
【請求項１】
通信局と非接触通信を行うためのデータ・キャリアであって、下記に列挙する手段、すなわち、
通信局により生成可能で、かつ前記通信局により作り出されかつ前記データ・キャリアに作用するフィールドにより非接触で前記データ・キャリアに伝送可能な、問合せ信号を受信するための受信手段と、
前記問合せ信号を受信すると直ちに応答信号を生成するための生成手段と、
前記応答信号を、前記通信局への伝送に適した伝送信号に処理するように設計されており、前記伝送信号の少なくとも一つの伝送パラメータをその中で変化させることができる、前記応答信号を処理するための処理手段と、
前記データ・キャリアに作用する前記フィールドのフィールド強度を代表する少なくとも一つの代表値を決定するための決定手段と、
前記処理手段への影響を前記少なくとも一つの代表値の関数として制御可能に及ぼすように、すなわち、前記伝送信号の少なくとも一つの伝送パラメータを、前記少なくとも一つの代表値の関数として変化させるように設計されている、前記決定手段と前記処理手段との間の制御結合手段と、
を有する、データ・キャリア。
【請求項２】
制御データを前記少なくとも一つの代表値の関数として生成するように設計されている前記決定手段と相互作用し、かつ前記伝送信号の前記少なくとも一つの伝送パラメータを、前記生成された制御データによって変化させるために前記処理手段と相互作用する制御手段が、前記制御結合手段内に設けられた、請求項1に記載のデータ・キャリア。
【請求項３】
前記処理手段が、異なる開始点で始まる少なくとも2つの時間ウィンドウ内で前記応答信号を処理するように設計されており、かつ、
前記処理手段が、このために、時間ウィンドウのための少なくとも2つの異なる開始点を、前記少なくとも一つの代表値の関数として定義することができる時間ウィンドウ定義手段を有する、
請求項1または請求項2に記載のデータ・キャリア。
【請求項４】
前記処理手段が、少なくとも2つの異なるコード化方法を用いて前記応答信号を処理するように設計されており、かつ、
前記処理手段が、このために、少なくとも2つの異なるコード化方法を前記少なくとも一つの代表値の関数として実行することができる、異なるコード化方法を実行するように設計されている少なくとも2つのコード化段を有する、
請求項1または請求項2に記載のデータ・キャリア。
【請求項５】
前記処理手段が、前記応答信号を変調させることができる少なくとも2つの異なるサブキャリア信号を用いて、前記応答信号を処理するように設計されており、かつ、
前記処理手段が、このために、少なくとも2つの異なるサブキャリア信号を、前記少なくとも一つの代表値の関数として生成することができるサブキャリア信号生成手段を有する、
請求項1または請求項2に記載のデータ・キャリア。
【請求項６】
通信局と非接触通信を行うためのデータ・キャリアのための回路であって、下記に列挙する手段、すなわち、
通信局により生成可能で、かつ前記通信局により作り出されかつデータ・キャリアに作用するフィールドにより非接触な方法で前記データ・キャリアに伝送可能で、かつしたがって前記データ・キャリアのための回路に伝送可能な問合せ信号、を受信するための結合手段と、
前記問合せ信号を受信すると直ちに応答信号を生成するための生成手段と、
前記応答信号を、前記通信局への伝送に適した伝送信号に処理するように設計されており、前記伝送信号の少なくとも一つの伝送パラメータをその中で変化させることができる、前記応答信号を処理するための処理手段と、
前記データ・キャリアに作用する前記フィールドのフィールド強度を代表する少なくとも一つの代表値を決定するための決定手段と、
前記処理手段への影響を前記少なくとも一つの代表値の関数として制御可能に及ぼすように、すなわち、前記伝送信号の少なくとも一つの伝送パラメータを、前記少なくとも一つの代表値の関数として変化させるように設計されている、前記決定手段と前記処理手段との間の制御結合手段と、
を有する、通信局と非接触通信を行うためのデータ・キャリアのための回路。
【請求項７】
制御データを前記少なくとも一つの代表値の関数として生成するように設計されている前記決定手段と相互作用し、かつ前記伝送信号の前記少なくとも一つの伝送パラメータを、前記生成された制御データによって変化させるために前記処理手段と相互作用する制御手段が、前記制御結合手段内に設けられた、請求項6に記載の回路。
【請求項８】
前記処理手段が、異なる開始点で始まる少なくとも2つの時間ウィンドウ内で前記応答信号を処理するように設計されており、かつ、
前記処理手段が、このために、時間ウィンドウのための少なくとも2つの異なる開始点を、前記少なくとも一つの代表値の関数として定義することができる時間ウィンドウ定義手段を有する、
請求項6または請求項7に記載の回路。
【請求項９】
前記処理手段が、少なくとも2つの異なるコード化方法によって、前記応答信号を処理するように設計されており、かつ、
前記処理手段が、このために、少なくとも2つの異なるコード化方法を前記少なくとも一つの代表値の関数として実行することができる、異なるコード化方法を実行するように設計されている少なくとも2つのコード化段、
を有する、請求項6または請求項7に記載の回路。
【請求項１０】
前記処理手段が、前記応答信号を変調させることができる少なくとも2つの異なるサブキャリア信号を用いて、前記応答信号を処理するように設計されており、かつ、
前記処理手段が、このために、少なくとも2つの異なるサブキャリア信号を、前記少なくとも一つの代表値の関数として生成することができるサブキャリア信号生成手段を有する、
請求項6または請求項7に記載の回路。
【請求項１１】
データ・キャリアと非接触通信を行うための通信局であって、
前記データ・キャリアが、前記通信局と非接触通信を行うように設計されており、かつ以下の手段、すなわち、
前記通信局により生成可能で、かつ前記通信局により作り出されかつ前記データ・キャリアに作用するフィールドにより非接触な方法で前記データ・キャリアに伝送可能な、問合せ信号を受信するための受信手段と、
前記問合せ信号を受信すると直ちに応答信号を生成するための生成手段と、
前記応答信号を、前記通信局への伝送に適した伝送信号に処理するように設計されており、前記伝送信号の少なくとも一つの伝送パラメータをその中で変化させることができる、前記応答信号を処理するための処理手段と、
前記データ・キャリアに作用する前記フィールドのフィールド強度を代表する少なくとも一つの代表値を決定するための決定手段と、
前記処理手段への影響を前記少なくとも一つの代表値の関数として制御可能に及ぼすように、すなわち、前記伝送信号の前記少なくとも一つの伝送パラメータを、前記少なくとも一つの代表値の関数として変化させるように設計されている、前記決定手段と前記処理手段との間の制御結合手段と、
を有し、
前記通信局が、
コマンド信号を生成するためのコマンド信号生成手段と、
前記データ・キャリアから前記通信局に伝送された前記伝送信号を受信するための受信手段と、
前記受信された伝送信号を処理するための処理手段と、
前記受信された伝送信号の前記伝送パラメータを検出するための伝送パラメータ検出手段と、
前記伝送パラメータ検出手段と相互作用し、かつ少なくとも一つのコマンド信号を、前記伝送パラメータ検出手段により検出された、前記受信された伝送信号の前記伝送パラメータの関数として生成する決定を行うことを目的とし、かつそのように設計されている決定手段と、
を有する、データ・キャリアとの非接触通信と行うための通信局。
【請求項１２】
前記決定手段が、
前記伝送パラメータ検出手段と前記コマンド信号生成手段との間に設けられ、かつ、
前記コマンド信号生成手段への影響を、前記伝送パラメータ検出手段により検出された、前記受信された伝送信号の前記伝送パラメータの関数として及ぼすように設計され、どのコマンド信号が前記コマンド信号生成手段により生成可能になるかということとの関係を有する、
請求項11に記載の通信局。
【発明の詳細な説明】
【技術分野】
【０００１】
本発明は、通信局と非接触通信を行うことを目的としかつそのように設計されており、かつこのために、通信局により生成可能で、かつ通信局により作り出されかつデータ・キャリアに作用するフィールドにより非接触な方法でデータ・キャリアに伝送可能な問合せ信号、を受信するための受信手段を有するデータ・キャリアであって、
問合せ信号を受信すると直ちに応答信号を生成するための生成手段と、
この応答信号を通信局への伝送に適した伝送信号に処理し、かつこの伝送信号の少なくとも一つの伝送パラメータをその中で変化させることができる、応答信号を処理するための処理手段と、
を有するデータ・キャリアに関する。
【０００２】
本発明は、さらに、
問合せ信号を受信するための結合手段と、
この問合せ信号を受信すると直ちに応答信号を生成するための生成手段と、
この応答信号を処理するための処理手段と、
を含む、通信局との非接触通信用のデータ・キャリア用の回路にも関する。
【０００３】
本発明は、さらに、上記の第一段落に説明した設計による、データ・キャリアと非接触通信を行うための通信局に関する。
【背景技術】
【０００４】
上記の第一段落に説明した設計によるデータ・キャリア、および上記の第二段落に説明した設計による回路は、例えば、特許文献、国際特許公開公報第WO99/65168号に開示されている。この公知の回路を有するこの公知のデータ・キャリアの設計は、
応答信号を処理するための処理手段が、複数の異なる時間ウィンドウ内で形成され、かつ、
この公知のデータ・キャリアが応答信号から形成されたその伝送信号を生成することと、この伝送信号を通信局に伝送することとがその中で行われる時間ウィンドウが、このデータ・キャリアに重要なシリアル番号の一部の関数として決定される、というものである。
【０００５】
処理手段が複数の時間ウィンドウ内で応答信号を処理するように設計されているデータ・キャリアに関しては、前述した特許文献、国際特許公開公報第WO99/65168号内で最新技術として認知されている、米国特許第5,539,394号を参照できる。上記に引用した国際特許公開公報第WO99/65168号と米国特許第5,539,394号という2つの特許文献により開示されているデータ・キャリアの場合、データ・キャリアから通信局に伝送される伝送信号の通信局への伝送が可能となる時間ウィンドウの開始点が、可変伝送パラメータとして選択される、処理手段が提供されている。
【０００６】
しかしながら、サブキャリア信号を可変伝送パラメータとして選択することも可能である。この場合、関連するデータ・キャリアは、異なるサブキャリア信号を生成するように設計され、かつ、サブキャリア周波数が異なるサブキャリア信号を生成するように設計され、かつサブキャリア周波数が異なるこれらのサブキャリア信号が、通信局への伝送に適した伝送信号を生成するために、応答信号の変調に用いられることが好ましい。これに関しては、特許文献米国特許第5,485,154号を参照することができる。
【０００７】
上述の公知のデータ・キャリアのすべてに共通することは、応答信号の生成、かつしたがって伝送信号の生成が、公知のデータ・キャリアのメモリ内に格納されているシリアル番号部分、または乱数部分、または他のメモリ・コンテンツ部分にしか依存しないという事実である。公知のデータ・キャリアの場合、これが意味するのは、通信局の通信レンジ内に複数のデータ・キャリアが存在することにより、2つのデータ・キャリアがそれらの伝送信号を、同じ伝送パラメータを用いて（例えば、同じ時間ウィンドウを用いて）通信局に伝送し、このような2つのデータ・キャリアの1つが、おそらく通信局に相対的に近く位置し、かつ他のデータ・キャリアが通信局から相対的に遠くに位置することにより、
通信局に相対的に近く位置するデータ・キャリアが、相対的に強い伝送信号を通信局に伝送し、
通信局から相対的に遠くに位置するデータ・キャリアが、相対的に弱い伝送信号しか通信局に伝送しなくなってしまうという問題の発生が、相対的に頻繁に起こり得ることである。このことは、通信局に相対的に近く位置するデータ・キャリアの伝送信号が、通信局から相対的に遠くに位置するデータ・キャリアの伝送信号をマスクしてしまい、この結果、通信局から相対的に遠くに位置するデータ・キャリアが、その後通信局により検出されず、かつさらなる処理（例えば、選択、読み出し、または書き込み）を、その必要が後で生じた際に行うことができない、ということを意味している場合があり、かつ残念ながら、多くの場合は、実際にこのことを意味している。この事態によって、故障状況が発生してしまったり、またはこのような故障状況をなくすために通信局の通信レンジ内に位置するすべてのデータ・キャリアを検出する際に生じるコストが高くなってしまう可能性がある。
【０００８】
【特許文献１】国際特許公開公報第WO99/65168号
【特許文献２】米国特許第5,539,394号
【特許文献３】米国特許第5,485,154号
【発明の開示】
【課題を解決するための手段】
【０００９】
本発明の目的は、上述の問題をなくし、かつ改良されたデータ・キャリア、データ・キャリア用の改良された回路、および改良された通信局を提供し、これらのデータ・キャリアを用いて、実質的にこれらのデータ・キャリアの通信局からの距離に関わりなく、かつこのようにコスト高を生じさせてしまうことなく、もっとも速くかつもっとも完全な各データ・キャリアの問合せと検出とを常に確実にすることである。
【００１０】
前述の目的は、本発明のデータ・キャリアが以下のように特徴付けられるように本発明の特徴を設けることにより、本発明のデータ・キャリア内で達成される。
【００１１】
通信局と非接触通信を行うためのデータ・キャリアであって、下記に列挙する手段、すなわち、
通信局により生成可能で、かつ前記通信局により作り出されかつ前記データ・キャリアに作用するフィールドにより非接触な方法で前記データ・キャリアに伝送可能な問合せ信号、を受信するための受信手段と、
前記問合せ信号を受信すると直ちに応答信号を生成するための生成手段と、
前記応答信号を、前記通信局への伝送に適した伝送信号に処理するように設計されており、前記伝送信号の少なくとも一つの伝送パラメータをその中で変化させることができる、前記応答信号を処理するための処理手段と、
前記データ・キャリアに作用する前記フィールドのフィールド強度を代表する少なくとも一つの代表値を決定するための決定手段と、
前記処理手段への影響を前記少なくとも一つの代表値の関数として制御可能に及ぼすように、すなわち、前記伝送信号の少なくとも一つの伝送パラメータを、前記少なくとも一つの代表値の関数として変化させるように設計されている、前記決定手段と前記処理手段との間の制御結合手段と、
を有する、データ・キャリア。
【００１２】
前述の目的は、本発明の回路が以下のように特徴付けられるように本発明の特徴を設けることにより、本発明の回路内で達成される。
【００１３】
通信局と非接触通信を行うためのデータ・キャリア用の回路であって、下記に列挙する手段、すなわち、
通信局により生成可能で、かつ前記通信局により作り出されかつデータ・キャリアに作用するフィールドにより、非接触な方法で前記データ・キャリアに伝送可能で、かつしたがって前記データ・キャリアのための回路に伝送可能な問合せ信号、を受信するための結合手段と、
前記問合せ信号を受信すると直ちに応答信号を生成するための生成手段と、
前記応答信号を、前記通信局への伝送に適した伝送信号に処理するように設計されており、前記伝送信号の少なくとも一つの伝送パラメータをその中で変化させることができる、前記応答信号を処理するための処理手段と、
前記データ・キャリアに作用する前記フィールドのフィールド強度を代表する少なくとも一つの代表値を決定するための決定手段と、
前記処理手段への影響を前記少なくとも一つの代表値の関数として制御可能に及ぼすように、すなわち前記伝送信号の少なくとも一つの伝送パラメータを、前記少なくとも一つの代表値の関数として変化させるように設計されている、前記決定手段と前記処理手段との間の制御結合手段と、
を有する、通信局と非接触通信を行うためのデータ・キャリアのための回路。
【００１４】
本発明の特徴を設けることにより、通信局への伝送に適した伝送信号が本発明のデータ・キャリアに作用するフィールドのフィールド強度を代表する少なくとも一つの代表値の関数として形成されることが、単純な手段と僅かな追加コストのみで確実となる。このことにより、通信局に相対的に近く位置し、かつしたがって高いフィールド強度を代表する代表値を生成するデータ・キャリアが、伝送パラメータの規定範囲内で動作し、一方、通信局から相対的に遠くに位置し、かつしたがって相対的に弱いフィールド強度に対応する代表信号を生成する本発明の他のデータ・キャリアが、伝送パラメータの別の範囲内で動作することが、容易に可能となる。このことにより、異なるフィールド強度に晒されるデータ・キャリアが、それらの伝送信号を常に可変伝送パラメータの異なる範囲内で生成することが確実になる。このことが意味するのは、本質的に同じフィールド強度に晒されるデータ・キャリアしか可変伝送パラメータの範囲内で動作することができなくなるので、公知のデータ・キャリアの場合に発生し得るようないかなるマスキング効果も、本発明のデータ・キャリアの場合はなくなる、ということである。
【００１５】
本発明のデータ・キャリアに請求項2に記載の特徴がさらに設けられ、かつ本発明の回路に請求項7に記載の特徴がさらに設けられた場合、特に有利となることが判明している。このような実施例が特に有利である理由は、必要な場合、制御データを生成可能な制御手段によって、処理手段を少なくとも一つの代表値の関数として非常に多様に制御することが可能となるからである。しかしながら、この時点で言及すべきことは、もっとも単純な場合、制御手段を設けなくても、このとき決定手段と処理手段との間に設けられている、単純な電気または電子結合により形成されている制御結合手段を管理することも可能となり、この制御結合手段が助力となって、決定手段により放出された制御コマンドを処理手段に直接送ることが可能となることである。
【００１６】
本発明のデータ・キャリアに請求項3に記載の特徴がさらに設けられた場合、または本発明の回路に請求項8に記載の特徴がさらに設けられた場合、有利となることが判明している。このような実施例からは、本発明の回路を有する本発明のデータ・キャリアが晒されるフィールド強度の関数である特定の開始点で始まる時間ウィンドウ内で、応答信号が伝送信号に処理されるという利点が得られる。
【００１７】
本発明のデータ・キャリアに請求項4に記載の特徴がさらに設けられた場合、または本発明による回路に請求項9に記載の特徴がさらに設けられた場合も、有利となることが判明している。これは、応答信号を伝送信号に処理する際に実施されるコード化方法が少なくとも一つの代表値の関数として選択されることにより、選択された特定のコード化方法が、本発明の回路を有する本発明のデータ・キャリアに作用するフィールド強度の関数として変化することを確実にする単純な方法を表している。
【００１８】
しかしながら、本発明のデータ・キャリアに請求項5に記載の特徴がさらに設けられた場合、または本発明の回路に請求項10に記載の特徴がさらに設けられた場合も、非常に有利となることが判明している。このような実施例からは、応答信号を伝送信号に処理するために必要な場合があるサブキャリア信号を、少なくとも一つの代表信号に適合化することを、このサブキャリア信号のサブキャリア周波数に関して行うことができ、かつしたがって本発明の回路を有する本発明のデータ・キャリアに作用するフィールド強度に適合化できるという利点が得られる。
【００１９】
前述の目的は、本発明の通信局が以下のように特徴付けられるように本発明の特徴を設けることにより、本発明の通信局内で達成される。
【００２０】
データ・キャリアと非接触通信を行うための通信局であって、
前記データ・キャリアが、前記通信局と非接触通信を行うように設計されており、かつ以下に列挙する手段、すなわち、
前記通信局により生成可能で、かつ前記通信局により作り出されかつ前記データ・キャリアに作用するフィールドにより非接触な方法で前記データ・キャリアに伝送可能な問合せ信号、を受信するための受信手段と、
前記問合せ信号を受信すると直ちに応答信号を生成するための生成手段と、
前記応答信号を、前記通信局への伝送に適した伝送信号に処理するように設計されており、前記伝送信号の少なくとも一つの伝送パラメータをその中で変化させることができる、前記応答信号を処理するための処理手段と、
前記データ・キャリアに作用する前記フィールドのフィールド強度を代表する少なくとも一つの代表値を決定するための決定手段と、
前記処理手段への影響を前記少なくとも一つの代表値の関数として制御可能に及ぼすように、すなわち、前記伝送信号の前記少なくとも一つの伝送パラメータを、前記少なくとも一つの代表値の関数として変化させるように設計されている、前記決定手段と前記処理手段との間の制御結合手段と、
を有し、
前記通信局が、以下に列挙する手段、すなわち、
コマンド信号を生成するためのコマンド信号生成手段と、
前記データ・キャリアから前記通信局に伝送された前記伝送信号を受信するための受信手段と、
前記受信された伝送信号を処理するための処理手段と、
前記受信された伝送信号の前記伝送パラメータを検出するための伝送パラメータ検出手段と、
前記伝送パラメータ検出手段と相互作用し、かつ少なくとも一つのコマンド信号を、前記伝送パラメータ検出手段により検出された、前記受信された伝送信号の前記伝送パラメータの関数として生成する決定を行うことを目的とし、かつそのように設計されている決定手段と、
を有する、データ・キャリアとの非接触通信と行うための通信局。
【００２１】
本発明の通信局内に本発明の特徴を設けることは、データ・キャリア内の決定手段により決定される特定の最小限のフィールド強度を上回り、かつデータ・キャリアから通信局への伝送信号の伝送パラメータに最終的な影響を及ぼす、データ・キャリア内で生成される代表値により表されるフィールド強度に、コマンド信号を生成させる役割があるそのデータ・キャリアが晒された場合のみ、特定のコマンド信号の生成が決定手段により許可されること、つまり可能とすることを、僅かな追加コストのみで確実にする単純な方法である。この方法により、例えば、アクセス制御データ・キャリアが通信局に近接している場合のみ、本発明の通信局を有するアクセス制御システム内で、例えば、ドアに対するアクセス・クリアランス・コマンド信号が、アクセス制御システムのホスト・コンピュータにより生成されることが、容易かつ有利に確実となる。
【００２２】
本発明の通信局に、請求項12に記載の特徴がさらに設けられた場合、特に有利なことが判明している。これは、関連するデータ・キャリアが通信局に十分に接近しているため、相対的に高いフィールド強度に晒され、かつ結果的に相対的に高いパワーが供給される場合のみ、データ・キャリアに対するいわゆる書込みコマンド信号が、本発明の通信局のコマンド信号生成手段により生成可能となる、単純かつ有利な方法を表している。これは、関連するデータ・キャリアが本発明の通信局に十分に接近しており、かつこの通信局により十分なパワーが供給されている場合のみ、コンピュータに相対的に束縛されているため多くのパワーを必要とする、データ・キャリア内のいわゆるセキュリティ機能が、データ・キャリア内の対応するコマンド信号により活性化されることも確実にする、単純な方法である。
【００２３】
本発明の前述の側面と他の側面を、以下に説明する実施例から明らかにし、かつこれらの実施例を参照しながら説明する。
【発明を実施するための最良の形態】
【００２４】
図面に示されている実施例を参照しながら、本発明をさらに説明する。しかしながら、本発明は、これらの実施例には限定されるものではない。
【００２５】
図1は、データ・キャリア1用の回路2を有する、本発明のデータ・キャリア1の第一実施例を示す。回路2は集積回路である。データ・キャリア1は、図1には示されていない通信局と非接触通信を行うことを目的とし、かつそのように設計されている。この場合、データ・キャリア1はある製品に結合され、かつこの製品に関するデータ（例えば、製品タイプ、販売価格、製造日、保証有効日、および同様の特徴）がその中に格納される、データ・キャリア1である。しかしながら、データ・キャリア1は、他の用途を目的とし、かつそのために設計されたものでもよい。当該通信局により、必要な場合、データ・キャリア1と通信局との間の非接触通信を介して、データ・キャリア1内に格納されているデータを検索することが可能となる。このような非接触通信を完全に実行するためには、データ・キャリア1のさらなる処理（例えば、データ・キャリアへの書き込み、またはデータ・キャリアからの読み取り）を可能とするために、通信局は、データ・キャリア1を完全に検出できなければならず、かつ多くの用途の場合、幾つかのこのようなデータ・キャリアから選択を行うことも可能でなければならない。通信局を用いてデータ・キャリア1を完全に検出するために、データ・キャリア1は一連の手段を有する。これらの手段は、以下により詳細に検討される。言及すべき点は、本明細書で重要な手段しか図1に示されていないことである。データ・キャリア1には、本明細書ではさらに検討しない他の手段が幾つか含まれている。
【００２６】
データ・キャリア1は、受信手段と伝送器手段との両方を形成する伝送手段3を有する。伝送手段3は、回路2の外側に設けられている伝送コイル4と、回路2内に含まれているキャパシタ5とを有する。伝送コイル4は回路2の接点端末6に結合され、接点端末6は回路2の結合手段の不可欠な部分を形成している。伝送コイル4とキャパシタ5は共振回路を形成し、この共振回路の共振周波数は、通信局からデータ・キャリア1へ伝送される少なくとも一つの信号の作動周波数に対応している。この場合、データ・キャリア1に伝送される信号は、振幅変調されているキャリア信号MCSISである。しかしながら、データ・キャリア1に伝送されるこの信号は、他の何らかの形態の伝送信号でもよい。
【００２７】
受信手段を形成する伝送手段3は、振幅変調されているキャリア信号MCSIS内に含まれている問合せ信号ISを受信することを目的とし、かつそのように設計されている。問合せ信号ISは、通信局（図示せず）により生成可能で、かつ通信局により作り出されかつデータ・キャリア1に作用するフィールドにより、非接触方法でデータ・キャリア1に伝送可能である。この場合、伝送は、誘導手段すなわちトランスフォーマによるものである。しかしながら、これに代えて、伝送を電磁手段によるものとしてもよい。問合せ信号ISは、通信局の通信レンジ内に存在するデータ・キャリア1または幾つかのデータ・キャリア1に、通信局への報告、すなわち通信局への応答信号の伝送を行うように要求する。
【００２８】
データ・キャリア1と回路2は、制限段8を有する電源回路7、クロック・パルス再生成段9、および復調段10を有する。電源回路7、クロック・パルス再生成段9、および復調段1は、各々、接点端末6に結合されており、この結果、変調されたキャリア信号MCSISが、これらの回路素子の各々に送られる。
【００２９】
長く公知技術となっているように、電源回路7は、これに送られた振幅変調されているキャリア信号MCSISを用いて直流供給電圧Vを生成することを目的とし、かつそのように設計されている。電源回路7は制限段8を有し、この限定段8によって、生成された直流供給電圧Vを特定値に制限することができる。このような制限段8を、このようなデータ・キャリア1、またはこのようなデータ・キャリア1内の電源回路7に設けることも、長く公知となっている。制限段8の制限機能の結果、図1に記号で示されているように、制限段8内に制限電流ILが発生する。
【００３０】
クロック信号再生成段9は、振幅変調されているキャリア信号MCSISを用いて、クロック信号CLKを再生成することを目的としており、かつそのように設計されている。この手段も長く公知となっている。
【００３１】
復調段10は、振幅変調されているキャリア信号MCSISを復調することを目的とし、かつそのように設計されている。振幅変調されているキャリア信号MCSISを復調段10に送ることができ、この結果、復調段10は、復調されたキャリア信号CSISを生成しかつ送出することができる。復調されたキャリア信号CSISをそれに対して送ることができ、かつこのまだコード化されている状態の信号をそれによってデコード化できるデコード化段11は、復調段10の出力側に結合されている。この信号は、通信局（図示せず）内で予めコード化されている。デコード化の後、デコード化段11は、問合せ信号ISを放出する。
【００３２】
これまで説明してきた手段は、データ・キャリア1が受信モード状態になると、動作状態になる。しかしながら、データ・キャリア1によって、データ・キャリア1から通信局への伝送モードも可能となる。このために、データ・キャリア1または回路2は、コード化段12と、コード化段12の出力側に結合された変調段13と、変調段13に結合されたサブキャリア信号生成器14とを有している。変調段13は、接点端末6の出力側に結合され、かつしたがって、伝送手段3に結合される。この伝送手段3も、伝送器手段を形成している。コード化段12には、応答信号RSを送ることができる。応答信号RSの生成については下記でより詳細に検討する。コード化段12によって応答信号RSをコード化し、コード化段12はコード化の後、コード化された応答信号CRSを放出できる。コード化された応答信号CRSは、変調段13に送ることができる。サブキャリア信号生成器14によって生成されたサブキャリア信号SCSも、変調段13に送ることができる。変調段13は、サブキャリア信号SCSを用いて、コード化された応答信号CRSの振幅変調を実行する。この結果、変調段13は、振幅変調されかつコード化された応答信号MCRSを伝送手段3に送出し、伝送手段3は、通信局への伝送を行う。しかしながら、振幅変調に代えて、位相変調または周波数変調を実行してもよい。
【００３３】
データ・キャリア1およびデータ・キャリア1の回路2は、マイクロ・コンピュータ15を有する。しかしながら、マイクロ・コンピュータ15に代えて、配線接続されたロジック回路を設けてもよい。長く公知となっているように、RAM、ROM、およびEEPROMを含む格納手段16は、マイクロ・コンピュータ15と相互作用する。マイクロ・コンピュータ15には、データ処理手段17が設けられている。データ処理手段17は、受信された問合せ信号ISを処理するように機能し、かつさらに、問合せ信号ISを受信すると直ちに、または受信された問合せ信号ISに応答して、応答信号RSを生成するように機能する。したがって、データ処理手段17は、幾つかの他の手段（図示せず）に加えて、受信された問合せ信号ISに応答して応答信号RSを生成するための生成手段17も形成している。格納手段16に含まれ、かつデータ・キャリア1を特徴付けているデータから、応答信号RSは生成される。
【００３４】
データ・キャリア1と回路2は、応答信号RSを処理するための処理手段18をさらに含んでいる。処理手段18は、応答信号RSを、通信局1への伝送に適した伝送信号、すなわち、変調されかつコード化された応答信号MCRSに処理する。この伝送信号の伝送パラメータは、処理手段18内で変化させることができる。この場合、応答信号RSを処理するための処理手段18は、図1に記号で示されているように、64個の異なる開始点で始まる合計64個の時間ウィンドウTW内で形成される。しかしながら、例えば、32個または128個または256個、またはこれに代えて、2の倍数ではないある数の様々な開始点で始まる異なる数の時間ウィンドウを選択することも可能である。64個の異なる開始点で始まる時間ウィンドウTWを定義するために、処理手段18は、この場合はマイクロ・コンピュータ15により設けられている時間ウィンドウ定義手段19を有する。データ処理手段17により生成された応答信号RSは、時間ウィンドウ定義手段19に送ることができ、かつ時間ウィンドウ定義手段19は、その後、応答信号RSがその中でコード化段12に中継される、特定の時間ウィンドウTWnを定義する。さらに言及すべき点は、処理手段18が、時間ウィンドウ定義手段19、コード化段12、変調段13、およびサブキャリア信号生成器14を有することである。
【００３５】
データ・キャリア1内と集積回路2内には、第一アナログ／デジタル・コンバータ20と第二アナログ／デジタル・コンバータ21が設けられている。第一アナログ／デジタル・コンバータ20は、入力側が電源回路7の出力に結合されているので、この出力で発生する直流供給電圧を表す第一デジタル値DVを、第一アナログ／デジタル・コンバータ20により生成することが可能となる。制限段8内で発生する制限電流ILに比例する電圧VILを、第二アナログ／デジタル・コンバータ21に送ることができるので、この電圧VILを代表し、かつ結果的に制限電流ILを代表する第二デジタル価値DVILを、第二アナログ／デジタル・コンバータ21により生成することが可能となる。
【００３６】
マイクロ・コンピュータ15によって、第一デジタル値DVと第二デジタル値DVILを送ることができる決定手段22が実現される。決定手段22は、データ・キャリア1に作用しているフィールドのフィールド強度を各々代表する2つの代表値REP1とREP2を決定することを目的とし、かつそのように設計されている。決定手段22は、電圧値決定段23と電流値決定段24を有する。電圧値決定段23は、供給直流電圧Vとの関係がある第一代表値REP1を、第一デジタル価値DVを用いて生成する。電流値決定段24は、制限段8内の制限電流ILとの関係がある第二代表値REP2を、第二デジタル価値DVILを用いて生成する。これらの関係が存在していることにより、これらの2つの代表値REP1とREP2は、データ・キャリア1に作用するフィールドのフィールド強度を代表する。この結果、データ・キャリア1に作用するフィールド強度のレベルを示し、かつしたがって、通信局からデータ・キャリア1への距離を示す情報が、これらの2つの代表値REP1とREP2を介してデータ・キャリア1に含まれる。
【００３７】
制御結合手段25は、データ・キャリア1内の決定手段22と、集積回路2内の処理手段18との間に設けられていることは有利である。制御結合手段25により、処理手段18への影響を、2つの代表値REP1とREP2の関数として及ぼすことが可能となる。処理手段18に及ぼされる制御の影響の目的は、本明細書では、伝送信号の少なくとも一つの伝送パラメータを、2つの代表値REP1とREP2.の関数として変化させることである。この例の場合、時間ウィンドウTWの開始点は、可変伝送パラメータを形成する。すなわち、この例の場合、全体で64個の時間ウィンドウTWに対する64個の開始点を、2つの代表値REP1とREP2の関数として定義することができる。
【００３８】
データ・キャリア1と回路2の各々の中にある制御結合手段25内には、決定手段22と相互作用して、2つの代表値REP1とREP2をそれに送ることができる制御手段26が設けられている。制御手段26は、制御データCDAを2つの代表値REP1とREP2の関数として生成するように設計されており、かつこの例の場合は1つの伝送パラメータを、生成された制御データCDAにより変化させるために、処理手段18と相互作用する。
【００３９】
制御手段26は、この場合は乱数生成器の形態をしたデータ生成器27を有する。この乱数生成器の目的は、乱数を生成することである。これらの乱数により、時間ウィンドウの選択、すなわち時間ウィンドウの開始点の選択に影響を及ぼすことが可能となる。しかしながら、概略的に示されている結合部28を介してデータ・キャリア1のいわゆるシリアル番号が格納手段16からデータ生成器27に送られ、かつデータ生成器に送られたこのシリアル番号からデータ生成器がデータを生成し、このデータによって時間ウィンドウの選択、すなわち時間ウィンドウの開始点の選択に影響を及ぼすことが可能となるように、データ生成器27を設計してもよい。制御手段26は、2つの代表値REP1とREP2を用いかつ乱数生成器27により生成された乱数を用いて、制御手段26から結合部29を介して時間ウィンドウ定義手段19に送ることができる制御データCDAを生成することができる。制御データCDAによって時間ウィンドウTWnの開始点を定義し、この時間ウィンドウTWn内で、データ処理手段17により生成された応答信号RSをコード化段12に中継し、かつその後、変調されかつコード化されている応答信号MCRSを、データ・キャリア1から通信局1へ伝送することができる。
【００４０】
データ・キャリア1と回路2は、データ・キャリア1に作用するフィールドの高いフィールド強度を各々代表する2つの代表値REP1とREP2が発生すると、時間ウィンドウTW（この中で、データ・キャリア1は応答信号RSを生成し、この応答信号RSは次に伝送信号MCRSとして通信局に伝送される）の開始点が、このような伝送が第一の32個の可能な時間ウィンドウTWの間にしか発生しないように定義されるように設計されている。他方、2つの代表値REP1とREP2が、データ・キャリア1に作用するフィールドの弱いフィールド強度を代用している場合、第二の32個の時間ウィンドウTWの間にしか、データ・キャリア1または回路2内で伝送が発生しないという結果になる。このことにより、変化するフィールド強度の値に晒されているデータ・キャリア1が、これらの応答信号を必ず異なる時間ウィンドウで通信局に伝送し、この結果、データ・キャリアからの弱い応答信号が別のデータ・キャリアからの強い応答信号により不必要にマスキングされてしまうことが何れもなくなり、かつしたがって、通信局の通信レンジ内に存在するすべてのデータ・キャリアを完全に検出することが、単純な手段で確実となる。
【００４１】
図2のデータ・キャリア1と回路2は、図1のデータ・キャリア1と回路2とほぼ同じ設計である。しかしながら、図2のデータ・キャリア1内の処理手段18には、異なる設計が選択されている。
【００４２】
図2のデータ・キャリア1と回路2の場合、処理手段18は、第一コード化段12に加えて、第二コード化段30と第三コード化段31を有する。3つのコード化段12、30、31により、3つの異なるコード化方法が可能となる。したがって、この場合、処理手段18は3つの異なるコード化方法によって応答信号RSを処理するように設計されている。しかしながら、コード化段を、2つしか設けないことも、または4つ以上設けることも可能である。3つのコード化段12、30、31によって可能なこれらのコード化方法の相異点は、特定のロジック・ビット（1または0）に対する特定の逐次的な信号シーケンスの割当てが、コード化方法ごとに異なっていることである。特定の逐次的な信号シーケンスが特定のロジック・ビットに割り当てられるという事実は、「拡張スペクトル」伝送方法として長く公知技術となっている。
【００４３】
3つのコード化段12、30、31は、決定手段22により決定可能な2つの代表値REP1とREP2の関数として、制御結合手段25により制御可能である。この場合、制御手段26は、コード化段12または30または31を、2つの代表値REP1とREP2の各々の関数として活性化できるので、各場合に一コード化方法を実行することができる。活性化された各コード化段12または30または31は、この各コード化により生成されたコード化された応答信号CRS1またはCRS2またはCRS3を、変調段13に送出する。変調段13は、その後、変調されかつコード化されている各応答信号MCRS1またはMCRS2またはMCRS3を伝送手段3に送出して、通信局へ伝送する。
【００４４】
したがって、図2のデータ・キャリア1と回路2によって、任意の一時刻に活性化されたコード化段12または30または31を2つの代表値REP1とREP2の関数として活性化することが可能となり、この結果、任意の一時刻に活性化されたコード化段12または30または31、かつしたがって任意の一時刻に実行されたコード化方法は、データ・キャリア1に作用するフィールド強度の値に依存するであろう。このことにより、異なるフィールド強度に晒されたデータ・キャリア1が、これらの異なるフィールド強度に対する応答信号を異なるコード化方法によって通信局に伝送すること、かつこの結果、通信局が異なるコード化方法に基づいて応答信号を区別することが可能となるので、これらの応答信号が完全に検出可能となることが確実となる。
【００４５】
図3のデータ・キャリア1と回路2には、さらに異なる設計の処理手段18が含まれている。この場合、処理手段18は、2つの異なるサブキャリア信号SCS1とSCS2によって、応答信号RSを処理するように設計されている。しかしながら、2つの異なるサブキャリア信号SCS1とSCS2よりも多い、例えば、3種類または4種類のサブキャリア信号によって応答信号RSを処理するように、処理手段18を設計してもよい。応答信号RSは、2つのサブキャリア信号SCS1とSCS2により変調させることができる。これらの2つの異なるサブキャリア信号SCS1とSCS2は、これらの周波数つまりサブキャリア周波数が、互いに異なっている。2つのサブキャリア信号SCS1とSCS2を生成するために、サブキャリア信号生成手段32が設けられている。サブキャリア信号生成手段32は、制御手段26からの制御データCDAをそれに送ることができる、周波数をスイッチ可能なサブキャリア信号生成器の形態をしている。サブキャリア信号生成器の周波数は、送出された制御データCDAの関数としてスイッチ・オーバさせることができる。制御データCDAは、図1と図2のデータ・キャリア1における方法と同様の方法により、2つの代表値REP1とREP2の関数として、かつ乱数生成器27により生成される乱数の関数として生成される。したがって、周波数が異なる2つのサブキャリア信号SCS1とSCS2は、サブキャリア信号生成手段32により、2つの代表値REP1とREP2の関数として生成させることができる。
【００４６】
したがって、図3のデータ・キャリア1と回路2によって、データ・キャリア1に作用する異なるフィールド強度に対する異なる変調結果を変調段13が送出し、この結果、異なる変調が行われた伝送信号MCRS4またはMCRS5をデータ・キャリア1から通信局に伝送することが可能となる。また、異なるフィールド強度に晒され、かつしたがって異なる変調が行われた伝送信号を用いて返答するデータ・キャリアが完全に区別可能となり、かつしたがって完全に検出可能となることが確実となる。なぜならば、異なるフィールド強度に晒されているデータ・キャリアは、異なる変調が行われた伝送信号MCRS4またはMCRS5を用いて通信局に返答するので、上述したようにいかなるマスキング効果もなくなるからである。
【００４７】
上述したデータ・キャリア1と回路2により、2つの代表値REP1とREP2が各場合に形成される。ただし、代表値が1つしか形成されない、すなわち、代表値REP1または代表値REP2の何れかが形成される解決策も可能なので、必ずしもそのようにする必要はない。しかしながら、必要な場合には、2つを超える代表値、例えば、3つまたは4つの代表値を形成してもよい。
【００４８】
言及すべき点は、時間スロットを乱数生成器の関数として定義することと、異なる伝送パラメータ（例えば、サブキャリア信号のサブキャリア周波数）をデータ・キャリア1に作用するフィールド強度の関数として変化させることとの組み合せも可能なことである。
【００４９】
図4は、通信局40を示している。通信局40は、図1のデータ・キャリア1と非接触通信を行うことを目的とし、かつそのように設計されている。すなわち、通信局40は、異なる時間ウィンドウ内で伝送信号が通信局40に伝送されるデータ・キャリアと非接触通信を行うように設計されている。
【００５０】
通信局40は、この場合はマイクロ・コンピュータにより設けられているシーケンス制御手段41を有する。しかしながら、シーケンス制御手段41を、配線接続されたロジック回路の形状にしてもよい。クロック信号CLKをシーケンス制御手段41に送出するクロック信号生成器42は、シーケンス制御手段41に結合されている。
【００５１】
シーケンス制御手段41には、コマンド信号生成手段43が結合されている。コマンド信号生成手段43は、複数のコマンド信号（例えば、問合せ信号、選択信号、読み取りコマンド信号、書き込みコマンド信号、および幾つかの他のコマンド信号）を生成することができる。図4の場合、問合せ信号ISは、すべてのコマンド信号を代表するようになっている。
【００５２】
送出されたコマンド信号をコード化させるように機能するコード化手段44は、コマンド信号生成手段43の出力側に結合されている。コード化の後、コード化手段44は、コード化されたコマンド信号（例えば、コード化された問合せ信号CIS）を作り出す。コード化手段44の出力側には、変調手段45が結合されている。この変調手段45には、コード化されたコマンド信号（例えば、コード化された問合せ信号CIS）を送ることができ、かつさらに、キャリア信号生成器46により生成されたキャリア信号CS送ることができる。変調手段45は、供給されたキャリア信号CSを、同様に供給されたコード化されたコマンド信号の関数として変調できるので、変調後、変調手段45は、変調されたコード化されたコマンド信号（例えば、変調されたコード化された問合せ信号MCIS）を送出することができる。変調手段45の出力側には、変調されたコード化されたコマンド信号を増幅可能な増幅手段47が結合されている。増幅手段47の出力側には、アダプタ手段48が結合されている。アダプタ手段48の出力側には、伝送コイル50を有しかつ伝送器手段と受信手段の両方として動作する伝送手段49が結合されている。増幅手段47により増幅された変調されたコード化されたコマンド信号は、アダプタ手段48を介して伝送手段49に送られ、通信局40の通信レンジ内に存在する図1のデータ・キャリア1のすべてに伝送される。
【００５３】
これまで説明してきた回路要素は、通信局40から図1のデータ・キャリア1に信号を伝送するように機能する。通信局40内には、伝送信号が図1のデータ・キャリア1から通信局40に伝送されると動作する手段も設けられている。これらの手段にも、伝送手段49とアダプタ手段48が含まれている。
【００５４】
これらの手段には、さらに、伝送信号（例えば、図1のデータ・キャリア1から通信局40に伝送された変調されたコード化された応答信号MCRS）を処理できる処理手段51が含まれている。処理手段51は、アダプタ手段48に結合されたフィルタ手段52を有し、かつフィルタ手段52の出力側には復調手段53が結合され、復調手段53の出力側にはデコード化手段54が結合されている。各伝送信号は、フィルタ手段52によりフィルタされた後、復調手段53により復調され、かつ次にデコード化手段54によりデコード化される。この結果、変調されたコード化された応答信号MCRSが通信局40に伝送された場合、コード化された応答信号CRSが復調手段53から現れ、かつ応答信号RSがデコード化手段54から現れる。
【００５５】
処理手段51の出力側には、伝送パラメータ検出手段55と伝送信号検出手段56が結合されている。この場合、伝送パラメータ検出手段55は時間ウィンドウ検出手段である。この時間ウィンドウ検出手段は、各々異なる時間に始まる合計64個の可能な時間ウィンドウTWの内のどの時間ウィンドウTWnの中に、伝送信号（例えば、通信局40に伝送された応答信号RS）が伝送されたのかを検出することができる。
【００５６】
伝送信号検出手段56は、伝送信号のコンテンツを検出することが目的であり、かつそのように設計されている。例えば、伝送信号検出手段56は、応答信号RSのコンテンツを検出することができる。このコンテンツは、例えば、データ・キャリア1のシリアル番号でも、かつ例えば、製品タイプ、製品価格、製造日、および同様の特徴を表す、データ・キャリア1内に格納されているデータでもよい。伝送信号検出手段56により検出されたデータDATは、シーケンス制御手段41に送られ、かつシーケンス制御手段41により制御されて、さらなる処理のために中継される（ここでは、例えば、いわゆるホスト・コンピュータに送られる）。
【００５７】
伝送パラメータ検出手段55は、情報データINFOを生成するように設計されている。各場合の情報データINFOは、受信された特定の伝送信号の特徴を示す伝送パラメータを表しており、したがってこの場合は、伝送信号がその中でデータ・キャリア1から通信局40に伝送された時間ウィンドウの特徴を示す伝送パラメータを表している。ここで留意すべき点は、伝送信号がその中で図1のデータ・キャリア1から通信局40に伝送された各時間ウィンドウが、図1のデータ・キャリア1に作用するフィールド強度に依存するので、フィールド強度の値が、データ・キャリア1の通信局40からの距離の関数として変化することである。
【００５８】
伝送パラメータ検出手段55により生成された情報データINFOは、シーケンス制御手段41に送ることができる。シーケンス制御手段41は、決定手段57を有する。この決定手段57は、伝送パラメータ検出手段55とコマンド信号生成手段43との間に設けられていることは有利である。決定手段57は、決定データDDAを、伝送パラメータ検出手段55から受信された情報データINFOの関数として生成し、この決定データDDAをコマンド信号生成手段43に送ることができるように設計されている。決定データDDAを用いて、生成可能なコマンド信号の組全体からどのコマンド信号を、コマンド信号生成手段43により生成してよいかを、コマンド信号生成手段43に伝えることができる。このことにより、特定のコマンド信号を生成することに対する承認を、コマンド信号生成手段43が決定手段57から受信するという利点が得られる。決定手段57に送出される情報データINFOは、任意の一時刻に検出された伝送パラメータ（すなわち、この場合は、任意の一時刻に検出された時間ウィンドウ）に依存し、かつしたがって、特定の伝送信号を通信局40に伝送してきたデータ・キャリアに作用してきたフィールド強度の値に依存する。これは、コマンド信号生成手段43が、当該データ・キャリアに有意に伝送可能なコマンド信号しか生成しないことを意味する。このことは、例えば、通信局40から相対的に離れており、かつしたがって低いフィールド強度しか作用していないデータ・キャリア1には、書込みコマンド信号が伝送されないことを意味するであろう。なぜならば、このような書込みコマンド信号により活性化されたこのような書き込み処理を実行するには、相対的に高いパワーが必要となるが、この相対的に高いパワーを、通信局40から相対的に遠くに位置するデータ・キャリア1が利用することはほとんど不可能なため、完全な書き込み処理が確実とならないからである。
【００５９】
図2のデータ・キャリア1と非接触通信を行う通信局の場合（この通信局は図示せず）、伝送パラメータ検出手段と伝送信号検出手段は同様に設けられるが、伝送パラメータ検出手段は、図2のデータ・キャリア1から通信局への伝送信号の伝送が、それにより行われたコード化方法を検出するように設計される。この場合のさらなる目的は、どの伝送パラメータを用いて伝送信号が通信局に伝送されたのかを伝送パラメータ検出手段が一度検出すると、伝送パラメータ検出手段が伝送信号検出手段に制御情報を送出することにより、伝送信号検出手段がこの制御情報を用いて通信局に伝送された伝送信号を完全に検出できるように、伝送パラメータ検出手段を伝送信号検出手段に相互作用させることである。
【００６０】
図3のデータ・キャリア1と非接触通信を行うための通信局の場合（同様に図示しない）、伝送パラメータ検出手段と伝送信号検出手段はやはり設けられるが、伝送パラメータ検出手段は、変調された伝送信号に対して用いられたサブキャリア周波数を検出し、かつ変調されコード化された伝送信号が結果的に伝送パラメータ検出手段に送られ、かつこの伝送パラメータの検出が処理手段内の復調手段に影響を及ぼすことにより、変調されたコード化された伝送信号を、検出された変調条件に従って完全に復調することが確実となるように設計される。
【００６１】
上述した図2と図3のデータ・キャリア1と回路2の場合、最適に振幅変調されかつコード化された問合せ信号ISが、通信局から関連するデータ・キャリア1に伝送され、この結果、応答信号RSがデータ・キャリア1内で直ちに生成される。問合せ信号ISと応答信号RSは両方とも、規定長のデータ・ワードの形態を取る。しかしながら、問合せ信号が、通信局により生成される非変調の開始信号の形態を取るためには、この開始信号を本質的に、情報コンテンツを有さない正弦波信号とし、かつこの開始信号を、通信局の通信レンジ内にある通信局の伝送手段を用いて通信局により放出させ、かつ通信局の通信レンジ内に入るデータ・キャリアの伝送手段により受信させることにより、当のデータ・キャリアにパワーを供給し、かつ応答信号の生成をデータ・キャリアの生成手段により自動的に誘発させることも可能である。
【図面の簡単な説明】
【００６２】
【図１】本明細書における本発明の第一実施例のデータ・キャリアおよびこのデータ・キャリア用の回路の本質的な部分であるもののブロック回路図の形態をした概略図である。
【図２】本明細書における本発明の第二実施例のデータ・キャリアおよび当該データ・キャリア用の回路の本質的な部分であるものを図1と同様の方法で示す。
【図３】本明細書における本発明の第三実施例のデータ・キャリアおよび当該データ・キャリア用の回路の本質的な部分であるものを、図1と図2と同様の方法で示す。
【図４】本明細書における本発明の一実施例の通信局の本質的な部分であるもののブロック回路図の形態をした概略図である。
【符号の説明】
【００６３】
1…データ・キャリア
2…データ・キャリアのための回路
3…受信段
6…接点端末
12…第一コード化段
17…生成段
18…処理回路
19…時間ウィンドウ定義手段
22…決定デバイス
25…制御結合部
26…制御手段
30…第二コード化段
31…第三コード化段
32…サブキャリア信号生成手段
40…通信局
43…コマンド信号生成手段
49…受信手段
51…処理手段
55…伝送パラメータ検出手段
57…決定手段
【図１】
2005509957.tif 000003
【図２】
2005509957.tif 000004
【図３】
2005509957.tif 000005
【図４】
2005509957.tif 000006
【国際調査報告】
2005509957.tif 000007
2005509957.tif 000008